(57)【特許請求の範囲】
【請求項１】
記録ディスクが挿入されこの記録ディスクに対してデータの読み出し及び書き込みを行うリムーバブルディスク装置において、筐体と、この筐体内に設けられ前記記録ディスクを回転させ、上下方向に移動するスピンドルモータシャフトと、前記筐体と前記スピンドルモータシャフトとの間に設けられ前記筐体及び前記スピンドルモータシャフトに接触し前記記録ディスクの静電気を前記筐体に放電するための導電性材料からなる静電ブラシと、を有し、前記静電ブラシは、前記スピンドルモータシャフトが下方向に移動した位置である、前記記録ディスクの挿入動作の途中状態においては前記スピンドルモータシャフト及び前記筐体に接触し、前記スピンドルモータシャフトが上方向に移動した位置である、前記記録ディスクの挿入が完了し前記スピンドルモータシャフトが回転している状態においては前記スピンドルモータシャフトに接触しないことを特徴とするリムーバブルディスク装置。
【請求項２】
前記静電ブラシは弾性を有する材料からなり、前記スピンドルモータシャフトに一定の押付力にて接触することを特徴とする請求項１に記載のリムーバブルディスク装置。
【請求項３】
前記リムーバブルディスク装置は更に前記スピンドルモータシャフトを支持するプラットフォームを有し、前記静電ブラシはその一端が前記プラットフォームに固定されていることを特徴とする請求項１、２のいずれか１項に記載のリムーバブルディスク装置。
【発明の詳細な説明】
【０００１】
【発明の属する技術分野】
本発明は、静電気対策部品を具備するリムーバブルディスク装置に関し、特に、スピンドルモータシャフトの回転に伴い騒音及び金属紛が発生しない静電ブラシを具備するリムーバブルディスク装置に関する。なお、本発明でいうリムーバブルディスクとは、フロッピーディスク（フレキシブルディスク）、光磁気ディスク、ＤＶＤ−ＲＯＭ（Digital Versatile Disk - Read Only Memory）、ＤＶＤ−ＲＡＭ（DVD - Ramdam Access Memory）、ＤＶＤ−Ｒ（DVD - Recordable）、ＤＶＤ−ＲＷ（DVD - Re-Writable）、ＣＤ−ＲＯＭ（Compact Disk - Read Only Memory）、ＣＤ−Ｒ（CD - Recordable）、ＣＤ-Ｒ／Ｗ（CD - Re-Writable）等のディスクを含む。
【０００２】
【従来の技術】
従来より、リムーバブルディスク装置において静電気対策は重要な課題である。低湿度の環境においては、しばしば人間に静電気が帯電し、この人間が記録ディスクを持つことにより、記録ディスクに静電気が帯電する。この帯電した記録ディスクを静電気対策を施していないリムーバブルディスク装置に挿入すると、電荷が装置内部の電気回路に放電され、電気回路の誤動作及び損傷を引き起こすことがある。
【０００３】
図３は、一般的な記録ディスクの構成を示す平面図である。記録ディスク６において、静電気が帯電しやすい場所は金属部分、即ち、シャッタ７及びハブ８である。なお、シャッタ７は、記録ディスク６の記録・再生ヘッド挿入口（図示せず）を開閉するもので、記録ディスク６がリムーバブルディスク装置へ挿入されていないときには閉じ、挿入されているときには開く構造になっており、非挿入時に記録ディスク６内に異物が入ることを防ぐためのものである。また、ハブ８は、記録ディスク６をリムーバブルディスク装置へ挿入したときにリムーバブルディスク装置内に設けられたスピンドルモータシャフトと嵌合して、記録ディスク６の位置決めを行うと共に、スピンドルモータシャフトの回転を記録ディスク６内の記録媒体（図示せず）に伝達するためのものである。
【０００４】
図４及び５は、従来の静電気対策を施されたリムーバブルディスク装置の構成及び動作を示す断面図であり、図４はリムーバブルディスク装置１２への記録ディスク６の挿入動作の途中状態を示し、図５はリムーバブルディスク装置１２への記録ディスク６の挿入が完了した状態を示す。図４及び５に示すように、従来のリムーバブルディスク装置１２においては、リムーバブルディスク装置１２の筐体４及びスピンドルモータシャトル１に常時接触している静電ブラシ１１が設けられ、記録ディスク６に帯電した静電気をスピンドルモータシャフト１及び静電ブラシ１１を介して筐体４に放出している。
【０００５】
【発明が解決しようとする課題】
しかしながら、この従来の技術には以下に示すような問題点がある。図４及び５に示すように、静電ブラシ１１は、記録ディスク６がリムーバブルディスク装置１２へ挿入されていない状態及び挿入途中状態のみでなく、記録ディスク６が完全に挿入されている状態においても、スピンドルモータシャフト１に接触する構造になっている。スピンドルモータシャフト１は記録ディスク６に対するデータの読み出し動作及び書き込み動作に伴い回転するため、この回転に伴い静電ブラシ１１はスピンドルモータシャフト１によりこすられる。このため、スピンドルモータシャフト１の回転に伴い、騒音が発生するという問題点がある。
【０００６】
また、静電ブラシ１１を長期間使用すると、スピンドルモータシャフト１の回転に伴う磨耗により静電ブラシ１１及びスピンドルモータシャフト１より金属紛が発生し、この金属紛が記録ディスク６に付着して記録ディスク６に傷付き等の損傷を与え、読み出しエラーを発生させるという問題点がある。
【０００７】
更に、静電ブラシ１１がスピンドルモータシャフト１の回転に対して負荷となるため、スピンドルモータシャフト１の回転に伴う消費電力量を増大させ、また、発熱量を増大させている。
【０００８】
本発明はかかる問題点に鑑みてなされたものであって、記録ディスクに帯電している静電気を放電することができ、且つ、スピンドルモータシャフトの回転に伴う騒音及び金属紛が発生せず、消費電力が少ないリムーバブルディスク装置を提供することを目的とする。
【０００９】
【課題を解決するための手段】
本発明に係るリムーバブルディスク装置は、記録ディスクが挿入されこの記録ディスクに対してデータの読み出し及び書き込みを行うリムーバブルディスク装置において、筐体と、この筐体内に設けられ前記記録ディスクを回転させ、上下方向に移動するスピンドルモータシャフトと、前記筐体と前記スピンドルモータシャフトとの間に設けられ前記筐体及び前記スピンドルモータシャフトに接触し前記記録ディスクの静電気を前記筐体に放電するための導電性材料からなる静電ブラシと、を有し、前記静電ブラシは、前記スピンドルモータシャフトが下方向に移動した位置である、前記記録ディスクの挿入動作の途中状態においては前記スピンドルモータシャフト及び前記筐体に接触し、前記スピンドルモータシャフトが上方向に移動した位置である、前記記録ディスクの挿入が完了し前記スピンドルモータシャフトが回転している状態においては前記スピンドルモータシャフトに接触しないことを特徴とする。
【００１０】
本発明においては、リムーバブルディスク装置の静電ブラシが、スピンドルモータシャフトが回転している状態においてはこのスピンドルモータシャフトに接触しないことにより、スピンドルモータシャフトの回転に伴って静電ブラシがこすられることがなく、騒音及び金属紛が発生することを防止できる。
【００１１】
また、前記静電ブラシは弾性を有する導電性材料からなるか、又はばね構造を有して、前記スピンドルモータシャフトに一定の押付力にて接触するように構成することができる。
【００１２】
これにより、前記静電ブラシのスピンドルモータシャフトへの接触を確実にすることができる。
【００１３】
【発明の実施の形態】
以下、本発明の実施例について添付の図面を参照して具体的に説明する。図１及び２は、本実施例に係るリムーバブルディスク装置の構成及び動作を示す断面図であり、図１はリムーバブルディスク装置１０への記録ディスク６の挿入動作の途中状態を示し、図２はリムーバブルディスク装置１０への記録ディスク６の挿入が完了した状態を示す。また、図３は、一般的な記録ディスクの構成を示す平面図である。
【００１４】
先ず、本実施例に係るリムーバブルディスク装置の構成について説明する。なお、本実施例において、リムーバブルディスク装置１０に挿入される記録ディスク６は、従来の技術の項において説明した図３に示す記録ディスクと同一のものである。
【００１５】
本実施例において、リムーバブルディスク装置１０にはその外側を覆う筐体４が設けられている。筐体４は全体のシステム（図示せず）に固定されており、フレームグランドとなっており、リムーバブルディスク装置１０全体の電気的基準になっている。記録ディスク６はデータを記録する記録媒体（図示せず）を筐体内に収納したものであり、リムーバブルディスク装置１０にはこの記録ディスク６を挿入するための挿入口９が設けられている。これにより、記録ディスク６は挿入口９を介してリムーバブルディスク装置１０内への装着及び脱着がなされる。
【００１６】
また、筐体４の内部にはプラットフォーム２が設けられ、プラットフォーム２上にはスピンドルモータ３が搭載されており、スピンドルモータ３の回転中心にはスピンドルモータシャフト１が設けられている。プラットフォーム２はスピンドルモータ３を支持し固定するためのものであり、筐体４内において上下方向に移動することができる。スピンドルモータ３はスピンドルモータシャフト１を回転させるためのものであり、スピンドルモータシャフト１はスピンドルモータ３内に設けられたベアリング１３により支持されスピンドルモータ３に対して垂直に起立している。スピンドルモータシャフト１は、記録ディスク６のハブ８と嵌合し記録ディスク６を位置決めすると共に、ハブ８を介して記録ディスク６内の記録媒体を回転させる。プラットフォーム２が低い位置、即ち、プラットフォーム２における静電ブラシ５が配置されている側においてプラットフォーム２と筐体４との距離が小さくなるような位置にあるときは、スピンドルモータシャフト１はシャッタ７又はハブ８に接触するがハブ８に嵌合せず、プラットフォーム２が高い位置、即ち、前記距離が大きくなるような位置にあるときは、スピンドルモータシャフト１はハブ８に嵌合する。
【００１７】
更に、リムーバブルディスク装置１０には、スピンドルモータシャフト１と筐体４とを短絡し、記録ディスク６に帯電している静電気を筐体４に放電するための静電ブラシ５が設けられており、静電ブラシ５はその一端がプラットフォーム２におけるスピンドルモータ３が搭載されている面の反対面に固定され、スピンドルモータシャフト１と筐体４との間に配置されている。静電ブラシ５は弾性を有する導電性材料により構成されており、プラットフォーム２の動作に伴い押圧される。プラットフォーム２が前述の低い位置にあるときは、静電ブラシ５はスピンドルモータシャフト１及び筐体４に接触し、両者の間で押圧される。一方、プラットフォーム２が前述の高い位置にあるときは、静電ブラシ５はスピンドルモータシャフト１及び筐体４に接触せず、押圧されない。
【００１８】
次に、シャッタ７及びハブ８に静電気が帯電している記録ディスク６がリムーバブルディスク装置１０に挿入される場合におけるリムーバブルディスク装置１０の動作について説明する。図１に示すように、記録ディスク６のリムーバブルディスク装置１０への挿入動作の途中状態においては、プラットフォーム２は、記録ディスク６がスピンドルモータシャフト１に引っ掛からないように前述の低い位置に配置される。このとき、静電ブラシ５はスピンドルモータシャフト１及び筐体４により押圧され、両者に一定の押付力を伴って接触している。なお、記録ディスク６がリムーバブルディスク装置１０にまったく挿入されていないときも、プラットフォーム２は前述の低い位置に配置され、静電ブラシ５はスピンドルモータシャフト１及び筐体４に接触している。
【００１９】
記録ディスク６が挿入口９を介してリムーバブルディスク装置１０内へ挿入されると、先ず、記録ディスク６のシャッタ７がスピンドルモータシャフト１に接触し、シャッタ７と筐体４との間がスピンドルモータシャフト１及び静電ブラシ５を介して短絡され、シャッタ７に帯電している静電気がスピンドルモータシャフト１及び静電ブラシ５を介して筐体４に放電され除去される。次に、ハブ８がスピンドルモータシャフト１に接触し、ハブ８と筐体４との間がスピンドルモータシャフト１及び静電ブラシ５を介して短絡され、ハブ８に帯電している静電気がスピンドルモータシャフト１及び静電ブラシ５を介して筐体４に放電され除去される。
【００２０】
その後、図２に示すように、記録ディスク６がリムーバブルディスク装置１０内へ完全に挿入されると、プラットフォーム２は前述の高い位置に移動し、スピンドルモータシャフト１が記録ディスク６のハブ８に嵌合し、記録ディスク６が位置決めされる。このとき、静電ブラシ５はスピンドルモータシャフト１及び筐体４のいずれにも接触せず、押圧されていない状態になっている。
【００２１】
その後、この状態において、スピンドルモータシャフト１が回転し、記録ディスク６へのデータの読み込み動作又は書き込み動作を行う。
【００２２】
本実施例においては、図１に示すように、記録ディスク６のリムーバブルディスク装置１０への挿入動作の途中状態においては、静電ブラシ５がスピンドルモータシャフト１及び筐体４に接触しており、記録ディスク６に帯電している静電気を筐体４に放電することにより除去することができる。
【００２３】
また、図２に示すように、記録ディスク６がリムーバブルディスク装置１０へ完全に挿入された状態においては、静電ブラシ５はスピンドルモータシャフト１に接触しない。スピンドルモータシャフト１は記録ディスク６に対して書き込み動作及び読み出し動作を行うために回転するが、静電ブラシ５が接触していないため、静電ブラシ５がスピンドルモータシャフト１にこすられて騒音を発生することがなく、また、摩耗により金属紛を発生することがない。更に、スピンドルモータシャフト１が回転する際の負荷にならないため、消費電力量及び発熱量の増大を防止することができる。
【００２４】
なお、本実施例においては、静電ブラシ５がプラットフォーム２に取り付けられている例を示したが、本発明における静電ブラシの形状及び配置等はこれに限定されることはなく、例えば、スピンドルモータシャフト１の近傍の筐体４から起立したばね状構造等、任意の形状及び配置をとることができる。
【００２５】
【発明の効果】
以上詳述したように本発明によれば、記録ディスクに帯電している静電気を除去することができると共に、スピンドルモータシャフトの回転に伴う騒音及び金属紛が発生せず、リムーバブルディスク装置の消費電力量及び発熱量を低減することができる。
【図面の簡単な説明】
【図１】本発明の実施例に係るリムーバブルディスク装置の構成及び動作を示す断面図であり、リムーバブルディスク装置への記録ディスクの挿入動作の途中状態を示す。
【図２】本実施例に係るリムーバブルディスク装置の構成及び動作を示す断面図であり、リムーバブルディスク装置への記録ディスクの挿入が完了した状態を示す。
【図３】一般的な記録ディスクの構成を示す平面図である。
【図４】従来のリムーバブルディスク装置の構成及び動作を示す断面図であり、リムーバブルディスク装置への記録ディスクの挿入動作の途中状態を示す。
【図５】従来のリムーバブルディスク装置の構成及び動作を示す断面図であり、リムーバブルディスク装置への記録ディスクの挿入が完了した状態を示す。
【符号の説明】
１；スピンドルモータシャフト
２；プラットフォーム
３；スピンドルモータ
４；筐体
５；静電ブラシ
６；記録ディスク
７；シャッタ
８；ハブ
９；挿入口
１０；リムーバブルディスク装置
１１；静電ブラシ
１２；リムーバブルディスク装置
１３；ベアリング
【図１】
0003871862.tif 000002
【図２】
0003871862.tif 000003
【図３】
0003871862.tif 000004
【図４】
0003871862.tif 000005
【図５】
0003871862.tif 000006